(57)【要約】      （修正有）【課題】視認性を損なうことがなく、スペースを有効に活用しつつ、手間がかからない操作で帳票を読み取り可能なフラットベッドスキャナを提供する。【解決手段】フラットベッドスキャナは、原稿台３０３のガラス面３０４に載置した帳票４０５を読み取るスキャナー部と、ガラス面３０４を覆う原稿台カバー３０２に設けられたディスプレイ装置３０１と、帳票４０５を読み取った画像をディスプレイ装置３０１に表示させる制御部とを備える。【選択図】図４
2017022580.tif 000002
【特許請求の範囲】
【請求項１】
載置面を覆うカバー表面に設けられた表示部と、
前記載置面に載置された読み取り媒体を読み取る読み取り部と、
読み取られた前記読み取り媒体のイメージを前記表示部に表示する制御部と、
を備えることを特徴とするフラットベッドスキャナ。
【請求項２】
請求項１に記載のフラットベッドスキャナであって、
前記表示部は、前記カバーの表面の一部に設けられている、
ことを特徴とするフラットベッドスキャナ。
【請求項３】
請求項１に記載のフラットベッドスキャナであって、
前記フラットベッドスキャナは、読み取り条件を入力しまたは読み取り後のイメージを表示するためのコンピュータに接続され、前記コンピュータから入力された読み取り条件を自装置に設定する、
ことを特徴とするフラットベッドスキャナ。
【請求項４】
請求項１に記載のフラットベッドスキャナであって、
前記フラットベッドスキャナは、装置外部からの映像信号を入力し、前記表示部への映像表示が可能なことを特徴とするフラットベッドスキャナ。
【発明の詳細な説明】
【技術分野】
【０００１】
本発明は、ディスプレイ等の表示部を有したフラットベッドスキャナに関する。
【背景技術】
【０００２】
銀行などの金融機関では、口座間の資金移動や入出金などの金融取引が行われる。上記金融取引を行うことを目的に来店した顧客は、取引内容に応じて帳票に取引内容を記載し、その帳票と通帳・現金等の媒体とともに窓口の行員へ渡し、取引したい意思を伝える。行員は、帳票の記載内容を目視確認し、金融システムへ取引内容の打鍵入力を行う。
【０００３】
取引内容を金融システムへ入力する際、上記行員が打鍵入力するが、入力した内容の誤り有無を検定するため、先に別の入力手段を用いて入力を行う。この方法とは金融システムへ接続されたイメージスキャナ装置を利用し、得られた帳票イメージをＯＣＲ処理するものである。この方法では、例えば、特許文献１に記載のようなオーバーヘッドスキャナを使用していた。
【先行技術文献】
【特許文献】
【０００４】
【特許文献１】特開２０１４−１６８１６８号公報
【発明の概要】
【発明が解決しようとする課題】
【０００５】
一般に、オーバーヘッドスキャナは図１のような構造となっている。図１に示すように、オーバーヘッドスキャナは、読み取る面を上側にしてセットする原稿台１０３）と、原稿台１０３から離れた位置から原稿台１０３を２次元的に光学走査し画像として取得するイメージセンサ１０１と、原稿台１０３を台座としてイメージセンサ１０１を支える支柱１０２とから構成される。
【０００６】
上記オーバーヘッドスキャナに帳票をセットした状態を図２に示す。図２に示すように、行員は原稿台１０３の上に、 取引内容が記入された面を上側にして帳票２０４をセットし、イメージスキャン操作を行う。金融システムは、取得した帳票画像に対してＯＣＲ処理を行い、帳票上に記入された取引情報を文字列データとして取得し、金融システム内へ取り込むことができる。行員は、その後スキャナ上の帳票を目視確認しながら記載内容を金融システムに打鍵入力する。金融システムは、打鍵入力の内容とＯＣＲ処理にて得た文字列データとを比較し、両者の異なる部分を入力誤りとして行員へ注意喚起する。オーバーヘッドスキャナは、読み取り面を上側としてセットできるため、行員が帳票を置き直すことなく、そのまま目視確認できる。
【０００７】
しかし、上記オーバーヘッドスキャナは、原稿台上の明るさが外光に依存する仕組みのため、外光がイメージセンサ１０１の許容範囲を超えて極度に明るい場合や暗い場合、明るさが変動する場合は、正常に画像を取得することが困難となる。外光の影響を排除できない理由は、原稿台１０３上の帳票を行員が目視確認できるようにするため、原稿台１０３を覆うなどの方法で物理的に遮光することができないためである。
【０００８】
また、上記オーバーヘッドスキャナは、原稿台１０３上の帳票に対して、構造上、外力を加えて形状を補正できないため、帳票が折れ、反りなどの要因で歪んでいた場合、取得した帳票画像も歪んでしまう欠点がある。
【０００９】
これに対し、一般的なフラットベッドスキャナは、原稿台の上に原稿台カバーを持つ構造であり、原稿の読み取り面は、原稿台にセットした帳票の下側となる。フラットベッドスキャナでは、イメージを取得したい帳票について、上記読み取り面を下側となるようセットし、原稿台カバーを帳票の上側から被せて原稿台の読み取り面に押し付けた後、スキャンを行う。これにより外光の影響を受けることなく、かつ、帳票を平面に押し付ける外力が加わることで帳票を伸ばした状態でスキャンすることができ、良好な状態のイメージを取得できる。
【００１０】
しかし、上記フラットベッドスキャナでは、帳票の取引内容が記載された読み取り面を下側にして原稿台にセットし、スキャン時は原稿台カバーを被せる操作の必要がある。したがって、スキャン後に必ず帳票を取り出し、目視確認できるよう置き直す手間が発生する。
【００１１】
また、従来のスキャナ装置は画像を取得することのみを目的とした装置であり、取得した画像の良否状態を確認することができない。画像を確認するためには、別途ディスプレイ装置に表示する必要がある。このためスキャンされた帳票を金融システムのディスプレイへ表示することが考えられるが、帳票画像を確認中はディスプレイ画面を占有するため、他の業務画面を同時表示することが困難もしくは狭くて見づらくなるという問題がある。画像確認用に別途ディスプレイを設ける方法もあるが、新たに設置場所を確保する必要がある。
【００１２】
本発明は、上記に鑑みてなされたものであって、視認性を損なうことがなく、スペースを有効に活用しつつ、手間がかからない操作で帳票を読み取り可能なフラットベッドスキャナを提供することを目的とする。
【課題を解決するための手段】
【００１３】
上記課題を解決し、目的を達成するために、本発明にかかるフラットベッドスキャナは、載置面を覆うカバー表面に設けられた表示部と、前記載置面に載置された読み取り媒体を読み取る読み取り部と、読み取られた前記読み取り媒体のイメージを前記表示部に表示する制御部と、を備えることを特徴とするフラットベッドスキャナとして構成される。
【発明の効果】
【００１４】
本発明によれば、視認性を損なうことがなく、スペースを有効に活用しつつ、手間がかからない操作で帳票を読み取ることができる。
【図面の簡単な説明】
【００１５】
【図１】一般的なオーバーヘッドスキャナの構造を示す図である。
【図２】一般的なオーバーヘッドスキャナにて帳票スキャン時の状態を示す図である。
【図３】本発明にかかるフラットベッドスキャナを適用したディスプレイ付フラットベッドスキャナの構造を示す図である。
【図４】図３に示したディスプレイ付フラットベッドスキャナにて帳票スキャン時の状態を示す図である。
【図５】オペレーション時の処理手順を示すフローチャートである。
【図６】図３に示したディスプレイ付フラットベッドスキャナのブロック図である。
【発明を実施するための形態】
【００１６】
以下に添付図面を参照して、本発明にかかるフラットベッドスキャナの実施の形態を詳細に説明する。以下では、本発明にかかるフラットベッドスキャナを、原稿台カバーにディスプレイ等の表示部を有したディスプレイ付フラットベッドスキャナに適用した場合について説明しているが、帳票全体の画像が確認できるのであれば、以下に示すように原稿台カバーの全面に表示部を備えていなくてもよい。
【００１７】
上記ディスプレイ付フラットベッドスキャナの構造を図３に示す。また、そのブロック図を図６に示す。
【００１８】
図３に示すように、上記ディスプレイ付フラットベッドスキャナは、載置面を覆う原稿台カバー３０２と、読み取り対象となる媒体である帳票を載置してセットするガラス面３０４を備えた原稿台３０３とを有している。本装置では、ガラス面３０４の下側に備えられたイメージセンサが、セットされた帳票を走査してスキャンする仕組みとなっている。原稿台カバー３０２の表面である上面には、ＬＣＤ（Liquid Crystal Display）などの薄型のディスプレイ装置３０１を搭載する。上記表面は、原稿台カバー３０２が原稿である帳票を押さえる面に対する裏面であり、原稿台カバー３０２が下げられている状態で表側に露出している面である。ディスプレイ装置３０１は、スキャンして得られた帳票画像を表示した際に、記載された文字を目視確認するために十分な画面解像度と画面サイズ、表示色数を持つものを用いる。
【００１９】
また、ディスプレイ装置３０１は、上記のとおり、原稿台カバー３０２上面の全面に設けられていなくてもよい。
【００２０】
また、図６に示すように、スキャナ部６０２は、上記ディスプレイ装置３０１である表示部６０２１と、スキャナ部６０２本体の処理を実行するスキャナ制御部６０２２と、外部からの映像信号を入力できる映像入力部６０２３を有している。制御部６０１、ディスプレイ部６０４、入力部６０３は、実際には、例えば、行員が解像度や色数など帳票の読み取り条件や、スキャンされた帳票イメージに含まれる帳票項目の値を打鍵入力するためのＰＣ（Personal Computer）により構成される。
【００２１】
図４に、上記ディスプレイ付フラットベッドスキャナにて、帳票をスキャンする時の状態を示す。原稿台３０３のガラス面３０４側に帳票４０５の読み取り面（取引内容を記載した面）を合わせ、原稿台カバー３０２を下げて、帳票４０５をガラス面３０４に押し付けた状態にセットする。入力部６０３は、行員から解像度・カラー数等の読み取り条件の入力を受け付け、読み取りを指示すると、制御部６０１がスキャナ部６０２に読み取りの指令を出す。
【００２２】
制御部６０１から読み取りの指令を受けたスキャナ部６０２では、スキャナ制御部６０２２が、セットされた原稿４０５を読み取り、読み取り結果を制御部６０１に返す。制御部６０１は、入力部６０３から設定された読み取り条件をスキャナ部６０２に出力し、スキャナ部６０２はその設定にしたがって、読み取った帳票画像を表示部６０２１に表示する。このとき、設定した読み取り条件で良好な画像が得られない場合には、上記読み取り条件を編集して出力し、出力された編集後の条件により、スキャナ６０２を再設定する。打鍵入力に使用するＰＣの入力部６０３から上記条件の入力や再入力が行われるので、スペースを有効活用することができるとともに、行員は打鍵入力と同じ環境で上記入力や再入力ができる。
【００２３】
また、フラットベッドスキャナは、映像入力部６０２３を設けており、ディスプレイ部３０１において帳票画像を表示する以外に、フラットベッドスキャナ外からの映像信号を入力して表示することができる。これにより別途ディスプレイ装置を増設することなく、金融システムのディスプレイ部６０３の補助ディスプレイ（複数画面表示）として利用することができる。
【００２４】
銀行などの金融機関の窓口に設置された金融システムに適用した場合における上記ディスプレイ付フラットベッドスキャナで行われる処理の手順を、図５に示す。
【００２５】
ステップ５０１：窓口の行員は顧客から入出金・振込みなど取引内容が記載された帳票を受け取る。
【００２６】
ステップ５０２：帳票をセットするため、窓口の行員により本装置の原稿台カバー３０２が上げられる。
【００２７】
ステップ５０３：読み取り面がガラス面３０４側となるよう原稿台３０３に帳票がセットされる。
【００２８】
ステップ５０４：行員により原稿台カバー３０２が下げられる。これにより外光を遮光し、かつ、帳票がガラス面３０４に押し付けられた状態となる。また、原稿台カバー３０２上の表示部６０２１への表示を行員が確認できる状態となる。
【００２９】
ステップ５０５：制御部６０１は、入力部６０３から入力された解像度や色数など帳票の読み取り条件をスキャナ部６０２に設定する。
【００３０】
ステップ５０６：スキャナ部６０２が、不図示のスキャン開始ボタンの押下を受け付ける。
【００３１】
ステップ５０７：スキャナ制御部６０２２は、設定された条件にしたがってイメージスキャンを行い、帳票イメージデータを得る。
【００３２】
ステップ５０８：スキャナ制御部６０２２は、上記スキャンにより得られた帳票イメージデータを表示部６０２１に転送し、原稿台カバー３０２上の表示部６０２１に自動表示する。
【００３３】
ステップ５０９：行員はディスプレイの帳票イメージを確認し、意図した画質の帳票イメージが得られたか確認する。
【００３４】
ステップ５１０：帳票イメージの画質が十分でなかった場合（セット位置が斜めにズレていた、解像度および色数設定の誤り等の原因による）は再度スキャン操作を行うか判断する。
【００３５】
ステップ５１１：帳票イメージの画質に問題なかった場合（５１０；ＮＯ）は、そのまま表示部６０２１に表示されている帳票イメージ上の取引内容を目視確認しながら、金融システムへ打鍵入力操作を行い、入力部６０３がこれらの操作を受け付ける。
【００３６】
ステップ５１２：行員の操作により原稿台カバー３０２が上げられる。
【００３７】
ステップ５１３：行員により帳票が原稿台３０３から取り除かれる。この後、帳票は次の処理を行うため、金融システムの通帳伝票プリンタ等へセットされる。
【００３８】
ステップ５１４：上記処理が終了したため、行員により原稿台カバー３０２が下げられる。
【００３９】
ステップ５１５：帳票イメージの画質が十分でなかった場合（５１０；ＹＥＳ）、原因がステップ５０５の読み取り条件設定誤りの場合（５１５；ＹＥＳ）は、制御部６０１は、入力部６０３から再入力された条件を編集して出力し、ステップ５０５に進み、スキャナ６０２を再設定し、ステップ５０６以降の処理を繰り返し、スキャンを実行する。一方、原因がステップ５０５の読み取り条件設定誤りでない、すなわち帳票セット状態の要因の場合（５１５；ＮＯ）は、ステップ５０２に戻って帳票をセットし直し、ステップ５０２以降の処理を繰り返し、スキャンを実行する。
【００４０】
これらの操作により、良好な状態の帳票イメージを取得することができ、また、ディスプレイ装置にスキャンして得られた帳票画像を表示することで、行員が帳票を置き直すことなく、帳票画像の状態を目視確認しながら打鍵入力することが可能となる。また、良好な状態の帳票イメージを取得できることで、帳票画像をＯＣＲ処理した際の文字認識精度の向上が図れる。
【００４１】
また、フラットベッドスキャナにディスプレイ機能を持たせることで、従来スキャナを設置していた場所を有効活用しつつ帳票イメージを確認することが可能となる。したがって、帳票イメージを確認するためのディスプレイ装置を別途設ける必要が無いため、設置するスペースを確保する必要もない。
【００４２】
さらに、フラットベッドスキャナを用いているため、原稿台カバーにより外光を遮光して影響を受けることなく、かつ、帳票を平面に押し付ける外力を加えて帳票を伸ばした状態でスキャンすることが可能となり、良好な状態のイメージを取得することができる。
【００４３】
尚、入力部６０３の代わりに、ディスプレイ部３０１にタッチパネルを取り付けて、タッチパネル操作による入力としても良い。ディスプレイ部３０１にタッチパネルを付けた場合、入力部６０３を独立して設ける必要がなく、その分、省スペースとすることができる。
【符号の説明】
【００４４】
１０１    イメージセンサ部
１０２    支柱部
１０３    原稿台部
２０４    帳票（取引内容記載面が上）
３０１    ディスプレイ部
３０２    原稿台カバー部
３０３    原稿台部
３０４    ガラス面
４０５    帳票（取引内容記載面が下）
６０１    制御部
６０２    スキャナ部
６０２１  表示部
６０２２  スキャナ制御部
６０２３  映像入力部
６０３    入力部
【図１】
2017022580.tif 000003
【図２】
2017022580.tif 000004
【図３】
2017022580.tif 000005
【図４】
2017022580.tif 000006
【図５】
2017022580.tif 000007
【図６】
2017022580.tif 000008